(57)【要約】【課題】一斉受取指示方式において、作業が中断した場合であっても物品の受け取り忘れや重複した受け取りを防止できる物品受取管理システムを提供する。【解決手段】本発明に係る物品受取管理システムは、制御部と、前記制御部の出力指示に応じて動作する表示手段および前記制御部へ入力情報を伝える入力手段を有する複数の受取指示器を備える。また、前記出力指示の任意の複数を一つのグループとして、前記出力指示のなされた前記複数の受取指示器から前記入力情報を記憶する記憶手段を有する。そして、前記グループを構成する前記複数の受取指示器の全てからの前記入力情報が得られるまで、前記入力情報が得られた前記受取指示器の前記表示手段における表示を、前記出力指示に応じた表示と区別可能な表示とし、前記グループを構成する前記複数の受取指示器の全てからの前記入力情報が得られたときに、前記グループの処理完了を判断する。【選択図】図１
2011125255.tif 000002
【特許請求の範囲】
【請求項１】
制御部と、前記制御部の出力指示に応じて動作する表示手段および前記制御部へ入力情報を伝える入力手段を有する複数の受取指示器を備え、
前記出力指示の任意の複数を一つのグループとして、前記出力指示のなされた前記複数の受取指示器からの前記入力情報を記憶する記憶手段を有し、
前記グループを構成する前記複数の受取指示器の全てからの前記入力情報が得られるまで、前記入力情報が得られた前記子局の前記表示手段における表示を、前記出力指示に応じた表示と区別可能な表示とし、
前記グループを構成する前記複数の受取指示器の全てからの前記入力情報が得られたときに、前記グループの処理完了を判断することを特徴とする物品受取管理システム。
【請求項２】
前記制御部と共通のデータ信号線に接続された親局と、前記共通のデータ信号線に接続され前記受取指示器をなす複数の子局を備え、前記親局と前記子局の間に変換ユニットを設け、前記記憶手段を前記変換ユニットに備え、前記変換ユニットは、前記子局の全履歴を把握し、前記子局に対し、前記出力指示に応じた表示と区別可能な表示をさせる指示をし、前記グループの処理完了を判断する請求項１に記載の物品受取管理システム。
【請求項３】
前記制御部と共通のデータ信号線に接続された親局と、前記共通のデータ信号線に接続され前記受取指示器をなす複数の子局を備え、前記記憶手段が前記子局の各々に搭載され、前記子局は自局を含めた前記子局の全履歴を把握し、自局の判断で前記出力指示に応じた表示と区別可能な表示をし、前記グループの処理完了を判断する請求項１に記載の物品受取管理システム。
【請求項４】
前記複数の子局は共通のデータ信号線に接続され、前記制御部からの前記出力指示に対応する制御データの値に応じ、所定の周期の伝送クロックに同期した所定のタイミング信号の制御下で、制御データ信号として一連のパルス状信号が、前記データ信号線に出力され、前記複数の子局の各々は、前記タイミング信号の制御下で、前記伝送クロックの１周期毎に、前記制御データ信号の各データの値を抽出して、前記各データの値の中の自局にデータに対応する表示をし、前記伝送クロックの１周期毎に、対応する前記入力手段の前記入力情報に応じて、監視データ信号を前記一連のパルス状信号に重畳する請求項１、２、または３のいずれかに記載の物品受取管理システム。
【発明の詳細な説明】
【技術分野】
【０００１】
本発明は、制御部と、この制御部の出力指示に応じて動作する表示手段および前記制御部へ入力情報を伝える入力手段を有する複数の受取指示器を備え、前記表示手段を使用して、物品の保管棚等の収容空間に保管している物品の中から、適切な物品、例えば、製品の組立てに必要な部品の受け取り指示を行なう、物品受取管理システムに関するものである。
【背景技術】
【０００２】
物品受取管理システムの代表的な例として、組立て生産工程、特にセル生産方式による工程等において広く使用されているピッキングシステムがある。このピッキングシステムとは、物品の保管棚に保管している物品の中から製品の組立てに必要な部品を受け取る作業や、逆に保管棚へ補給する作業の指示を制御するものである。より具体的には、物品が配置されていることを表示するとともに、その物品が搬出されたことを内容とする通知情報の入力手段を備えた子局（ターミナル、本発明の受取指示器に相当）を複数の保管棚の各々に配置し、これらターミナルを、制御装置を介してホストコンピュータに接続した構成をとるものである。そして、ホストコンピュータは部品の受取り指示を制御装置に送信し、制御装置が受取り指示の出された部品受取り棚に装着された前記ターミナルのランプや表示器により指示状態を表すようにしている。一方、指示された部品を受取り完了した作業者は、受取り完了入力として、ターミナルのレバースイッチを操作し、その操作信号が前記制御装置を経由し、ホストコンピュータに届くようになっており、作業の進捗や、誤作業の防止や、部品受取り棚への部品の補給、更には部品の在庫管理や、補給部品の発注などが行われる仕組みとなっている。なお、ターミナルにおける表示器や確認スイッチの形式には様々なものが採用されている。【０００３】
セル生産方式、すなわち、一人の作業員が複数の工程を担当とする方式は、近年広まっている方式であるが、そこに使用されるピッキングシステムとして、例えば、特開２００２−１２３０９号公報に開示された、冷蔵冷凍倉庫の冷凍品について寒冷域における集中表示式商品格納・ピッキングシステムがある。このシステムでは、物品保管する商品倉庫や、冷蔵冷凍倉庫の棚に配列された多数の物品について、ホストコンピュータと格納された物品の受け取り（ピッキング）作業をスイッチ入力し、その作業内容をホストコンピュータに送り、作業の確認がなされている。
【先行技術文献】
【特許文献】
【０００４】
【特許文献１】特開２００２−１２３０９号公報
【発明の概要】
【発明が解決しようとする課題】
【０００５】
上記ピッキングシステムによる受取り指示の方式には、工程の内容に応じ、一回の指示で一種類の部品の受取り指示を順次行なう順次受取指示方式と、一回の指示で同時に複数種類の部品の受取り指示を行なう一斉受取指示方式とがある。前者は、例えば、受け取った部品により組立てられる製品の知識を有さない者に対し、一定水準の作業を行なわせる場合に有効であるが、熟練した作業者にとって子局の指示が煩わしいものに感じられる場合がある。具体的には、例えば、複数の部品の一群についてはその一群を全て受け取りさえすれば、その受取順番に制限が無い場合、熟練した作業者であればそのことを知っているため、決められた所定の順番でしか表示されない子局の指示は、却って煩わしいものとなる。そこで、その様な場合には、受取順番に制限が無い複数の部品の一群について一斉に受取り指示が出される一斉受取指示方式が好ましいといえる。【０００６】
しかしながら、一斉受取指示方式では、物品の受取作業が、作業員の呼び出し等の何らかの理由で中断した場合、その作業者は物品を受け取ったかどうかを忘れてしまい、物品の受け取りを行なわなかったり、同じ物品を重複して受け取ったりするという問題があった。【０００７】
そこで本発明は、一斉受取指示方式において、作業が中断した場合であっても物品の受け取り忘れや重複した受け取りを防止できる物品受取管理システムを提供することを目的とする。
【課題を解決するための手段】
【０００８】
本発明に係る物品受取管理システムは、制御部と、前記制御部の出力指示に応じて動作する表示手段および前記制御部へ入力情報を伝える入力手段を有する複数の受取指示器を備える。また、前記出力指示の任意の複数を一つのグループとして、前記出力指示のなされた前記複数の受取指示器から前記入力情報を記憶する記憶手段を有する。そして、前記グループを構成する前記複数の受取指示器の全てからの前記入力情報が得られるまで、前記入力情報が得られた前記子局の前記表示手段における表示を、前記出力指示に応じた表示と区別可能な表示とし、前記グループを構成する前記複数の受取指示器の全てからの前記入力情報が得られたときに、前記グループの処理完了を判断する。【０００９】
前記制御部と共通のデータ信号線に接続された親局と、前記共通のデータ信号線に接続され前記受取指示器をなす複数の子局を備え、前記親局と前記子局の間に変換ユニットを設け、前記記憶手段を前記変換ユニットに備えてもよい。そして、前記変換ユニットが、前記子局の全履歴を把握し、前記子局に対し、前記出力指示に応じた表示と区別可能な表示をさせる指示をし、前記グループの処理完了を判断するものとしてもよい。【００１０】
前記制御部と共通のデータ信号線に接続された親局と、前記共通のデータ信号線に接続され前記受取指示器をなす複数の子局を備え、前記記憶手段が前記子局の各々に搭載され、前記子局は自局を含めた前記子局の全履歴を把握し、自局の判断で前記出力指示に応じた表示と区別可能な表示をし、前記グループの処理完了を判断するものとしてもよい。【００１１】
前記複数の子局は共通のデータ信号線に接続され、前記制御部からの前記出力指示に対応する制御データの値に応じ、所定の周期の伝送クロックに同期した所定のタイミング信号の制御下で、制御データ信号として一連のパルス状信号が、前記データ信号線に出力されるものであってもよい。そしてこの場合、前記複数の子局の各々は、前記タイミング信号の制御下で、前記伝送クロックの１周期毎に、前記制御データ信号の各データの値を抽出して、前記各データの値の中の自局に対応するデータに対応する表示をし、前記伝送クロックの１周期毎に、対応する前記入力手段の前記入力情報に応じて、監視データ信号を前記一連のパルス状信号に重畳するものであってもよい。
【発明の効果】
【００１２】
本発明に係る物品受取管理システムでは、出力指示の任意の複数を一つのグループとして、グループを構成する複数の受取指示器の全てからの入力情報が得られるまで、入力情報が得られた受取指示器の表示手段における表示が、出力指示に応じた表示と区別可能な表示となる。例えば、一つのグループとみなされる１０個の物品全てについて、その受け取りを指示する表示手段を同時に点灯させ、作業者が受け取った物品に対応する入力手段の情報入力操作を行なうと、それに対応する表示手段を点滅させる。そして、１０個の物品全てについて情報入力操作が行なわれるまで、入力操作のあった入力手段に対応する表示手段を点滅させ、全ての物品に対し入力操作が行なわれた時点で、受取作業が終了したものと判断し、表示手段を消灯させる。このように、出力指示の任意の複数を一つのグループとすることで、表示順番に制限のない複数の物品に対し同時に受取りの指示をすることができる。また、グループを構成する複数の受取指示器の全てからの入力情報が得られるまで、入力情報が得られた受取指示器の表示手段における表示を、出力指示に応じた表示と区別可能な表示とすることにより、どのような順番で受け取られた場合であっても、また、受取作業が中断された場合であっても、受け取りの完了と未完了を区別することができる。従って、作業が中断した場合であっても物品の受け取り忘れや重複した受け取りを防止できる【００１３】
本発明に係る物品受取管理システムにおいて、受取指示器としては、例えば、制御部と共通のデータ信号線に接続された親局と、共通のデータ信号線に接続された複数の子局を備える場合には、その複数の子局が相当するが、これに限定されることはない。全受取指示器が制御部に直接接続されるものであってもよい。【００１４】
記憶手段は、グループを構成する複数の受取指示器の全てからの入力情報が得られたかどうかの判断を行なうために必要となるが、その配置に制限はない。例えば、全受取指示器を制御部に直接接続する場合は、全受取指示器の各々に搭載すればよい。また、制御部と共通のデータ信号線に接続された親局を備え、共通のデータ信号線に接続された複数の子局を受取指示器とする場合は、子局の各々に搭載してもよく、或いは、親局と子局の間に記憶手段を備えた変換ユニットを設けてもよい。ただし、変換ユニットを、子局の全履歴を把握し、子局に対し、出力指示に応じた表示と区別可能な表示をさせる指示をし、グループの処理完了を判断するものとすることにより、制御部と、記憶手段を備えていない子局が既設であっても、変換ユニットを介装するのみで、既設の設備に適用することが可能となる。【００１５】
本発明に係るシステムの信号伝送方式に制限はないが、全履歴を把握するためには、次の伝送クロック方式が好ましい。すなわち、所定の周期の伝送クロックに同期した所定のタイミング信号の制御下で、複数の子局の各々が、この伝送クロックの１周期毎に、制御データ信号として出力される一連のパルス状信号から制御データ信号の各データの値を抽出するとともに、対応する入力手段の入力情報に応じて、監視データ信号を一連のパルス状信号に重畳する伝送方式である。この方式によれば、例えば、コマンド方式と比較して、簡単に実現できる。
【図面の簡単な説明】
【００１６】
【図１】本発明に係る物品受取管理システムの実施例の概要を示すシステム構成図である。
【図２】同システムにおける親局のブロック図である。
【図３】同システムにおける子局のブロック図である。
【図４】同システムにおける子局の状態遷移表である。
【図５】本発明に係る物品受取管理システムの他の実施例の概要を示すシステム構成図である。
【図６】同システムにおける変換ユニットのブロック図である。
【図７】同システムにおける子局のブロック図である。
【図８】同システムにおける子局の状態遷移表である。
【発明を実施するための形態】
【００１７】
図１〜４を参照しながら、本発明に係る物品受取管理システムの実施例を説明する。
まず、システム構成について説明する。この物品受取管理システムは、セル生産方式の製造現場において、保管棚に保管されている部品の中から、製品の組立てに使用する部品を作業者に指示するためのものであり、図１に示すように、制御部１および共通のデータ信号線ＤＰ、ＤＮ（以下、共通データ信号線ＤＰ、ＤＮとする）に接続された親局６と、その共通データ信号線ＤＰ、ＤＮに接続された複数の子局２（本発明の受取指示器に相当）を備える。子局２は、それぞれ、保管棚のパイプラック１０に固定され、作業者への指示を行うための表示ランプ７（本発明の表示手段に相当）と、作業の確認を行うためのレバースイッチ８（本発明の入力手段に相当）を備えている。そして、表示ランプ７は、前記制御部１の制御の下で動作するものとされ、また、レバースイッチ８の操作の有無も制御部１で把握できるものとなっている。
【００１８】
制御部１は、例えばプログラマブルコントローラ、コンピュータ等であり、制御データ１３を送出する出力ユニット１１と、子局２側からの入力情報データ１５を受け取る入力ユニット１２を有する。そして、これら出力ユニット１１と入力ユニット１２が親局６に接続されている。
【００１９】
親局６は、図２に示すように、出力データ部６１、タイミング発生部６３、親局出力部６４、親局入力部６５、入力データ部６６を備える。
【００２０】
出力データ部６１は、制御部１の出力ユニット１１から制御データ１３として受けた並列データを親局出力部６４へ引き渡す。この制御データ１３は、子局２の表示ランプ７に対する消点灯動作指示を行うものである。
【００２１】
タイミング発生部６３は、発振回路（ＯＳＣ）７１とタイミング発生手段７２からなり、ＯＳＣ７１を基にタイミング発生手段７２が、この伝送システムのタイミングクロック（本発明のタイミング信号に相当する）を生成し親局出力部６４に引き渡す。親局出力部６４は、制御データ発生手段７３とラインドライバ７４からなり、制御データ発生手段７３が、出力データ部６１から受けたデータと、タイミング発生部６３から受けたタイミングクロックに基づき一連のパルス状信号である制御データ信号を生成し、ラインドライバ７４を介して共通データ信号線ＤＰ、ＤＮに送出する。ここで、共通データ信号線ＤＰ、ＤＮに送出される制御データ信号は、本発明における、一連のパルス状信号に相当するものであるが、以下、共通データ信号線ＤＰ、ＤＮを流れる制御データ信号を伝送クロック信号というものとする。ラインドライバ７４は、また、ＤＣ電源７５から電源供給を受け、伝送クロック信号とともに、共通データ信号線ＤＰ、ＤＮを経由し、子局２の回路電源を供給する。
【００２２】
親局入力部６５は監視信号検出手段７６と監視データ抽出手段７７で構成され、入力データ部６６へ入力データを送出する。監視信号検出手段７６は、共通データ信号線ＤＰ、ＤＮを経由して子局２から送出された入力情報信号を検出する。子局２から送出される入力情報信号は、前記レバースイッチ８の操作の有無が電流レベルとして表わされたもので、スタート信号が送信された後、各子局２から順次受け取るものとなっている。そして、入力情報信号のデータは、タイミング発生手段７２の信号に同期して監視データ抽出手段７７で抽出され、直列の入力データとして入力データ部６６に送出される。
【００２３】
親局入力部６５から直列の入力データを受け取った入力データ部６６は、その直列の入力データを並列（パラレル）データに変換し、入力情報データ１５として制御部１の入力ユニット１２へ引き渡す。
【００２４】
親局６は、また、伝送インターフェイス回路として、伝送ブリーダ電流回路６７を有している。伝送ブリーダ電流回路６７は、親局出力部６４内のラインドライバ７４に接続されており、共通データ信号線ＤＰとＤＮ間の伝送路を安定化させる。
【００２５】
子局２は、図３に示すように、アドレス設定スイッチ３９、アドレス設定手段４１、アドレス抽出手段４２、子局入出力手段４３、入力データ部４４、出力データ部４５、共有データ記憶手段４６を備えている。なお、子局２には、マイクロコンピュータ・コントロール・ユニット（ＭＣＵ）４０が搭載されており、アドレス設定手段４１、アドレス抽出手段４２、子局入出力手段４３および共有データ記憶手段４６のそれぞれにおける処理は、ＭＣＵ４０により行われるものとなっている。そして、それぞれの処理において必要となる演算や記憶は、ＭＣＵ４０の備えるＣＰＵ、ＲＡＭおよびＲＯＭを使用して実行されるものとなっている。ただし、図３においては、それぞれの処理におけるＣＰＵ、ＲＡＭおよびＲＯＭとの関係は、説明の便宜上、その図示を省略するものとする。
【００２６】
アドレス設定スイッチ３９は、子局２の設置時において自局のアドレスを設定するもので、このアドレス設定スイッチ３９の有する範囲で自由にアドレスが設定できるものとなっている。アドレス設定スイッチ３９により設定されたアドレスは、アドレス設定手段４１で認識され、アドレス抽出手段４２に引き渡される。なお、アドレスの設定は、スイッチによる機械的方法に限定されず、例えば、予め設定された値を親局６から送信し、それを記憶させる方法で行ってもよい。
【００２７】
共通データ信号線ＤＰ、ＤＮの伝送クロック信号は、制御データ信号抽出部３６を経て、アドレス抽出手段４２と共有データ記憶手段４６に引き渡される。アドレス抽出手段４２には、伝送クロック信号の他、前記アドレス設定手段４１で認識された自局アドレスが引き渡される。そして、アドレス抽出手段４２は、これらのデータを基に、自局アドレスのデータを得て、そのデータを子局入出力手段４３に引き渡す。子局入出力手段４３に引き渡されたデータは、更に出力データ部４５に引き渡され、それらデータに基づいて子局２の表示ランプ７が点灯、消灯などの表示を行う。なお、この実施例では、表示ランプ７は色の異なる２種類のＬＥＤ７ａ、７ｂを有しており、２色（この実施例では赤及び緑）の表示を行なうことが可能となっている。
【００２８】
一方、共通データ信号線ＤＰ、ＤＮの伝送クロック信号は、他の子局２に関するデータも含むものであり、この伝送クロック信号を受けた共有データ記憶手段４６は、それらデータを記憶する。そして、これらのデータに基づいて、グループの処理完了の判断をし、子局入出力手段４３に対し必要に応じた出力を行なう。なお、その出力の内容については後述する。
【００２９】
入力データ部４４は、レバースイッチ８に接続されており、レバースイッチ８の操作に対応するデータ信号を子局入出力手段４３に引き渡す。ここで引き渡されたデータは、子局入出力手段４３において保持される。子局入出力手段４３では、自局のデータを伝送クロック信号に重畳させるタイミングがアドレス抽出手段４２から入力されると、保持しているデータに応じて、Ｉｏｕｔ０信号の出力を“ｏｎ”または“ｏｆｆ”とする。Ｉｏｕｔ０信号が“ｏｎ”の場合、トランジスタ４７は”ｏｎ”となり、共通データ信号線ＤＰ、ＤＮに入力情報信号が出力される。このとき入力情報信号のデータ値は、伝送クロック信号の１周期の前半（低電位レベルの期間）における電流レベルとして表現される。
【００３０】
この子局２は、特に専用の電源を保有していないが、共通データ信号線ＤＰ、ＤＮから供給される、電源が重畳された伝送クロック信号から、子局２内部で使用する電源電圧を、ダイオードとコンデンサと三端子電源素子によって作り出している。
【００３１】
次に、システム動作について説明する。この物品受取管理システムでは、まず、同時にピックアップするグループに属する部品が保管されている棚に対応する子局２の複数に、制御部１から、受け取りの指示として点灯指示が出される。
【００３２】
点灯指示は、制御データ１３として出力ユニット１１から親局６へ引き渡され、親局６から、伝送クロック信号として共通データ信号線ＤＰ、ＤＮに送出される。ここで、伝送クロック信号は、一連のパルス状信号の始まりを示すスタート信号（ＳｔａｒｔＢｉｔ）とこれに続く１番目の子局２（＃ａｄ１）の制御”ｏｎ”／”ｏｆｆ”データ部、これに続く２番目の子局２（＃ａｄ２）の制御”ｏｎ”／”ｏｆｆ”データ部、そして、以降同様に、ｎ番目の子局２（＃ａｄｎ）の制御”ｏｎ”／”ｏｆｆ”データ部まで続き、データ列の終わりを表すＥＮＤデータで構成される。なお、子局２から親局６に向けて送出される監視”ｏｎ”／”ｏｆｆ”データ部は制御”ｏｎ”／”ｏｆｆ”データ部期間内に同時に送出される。また親局６と各子局２との間での伝送は、システムの作動中に繰り返し行われる。
【００３３】
各子局２は、スタート信号から開始される全アドレスのデータを１伝送サイクル（スタート信号から開始される一連のデータ群）ごとに共有データとして共有データ記憶手段４６に記憶する。また、自局のアドレスに対応する制御”ｏｎ”／”ｏｆｆ”データ部が”ｏｎ”である場合、すなわち点灯指示となっている場合、ＬＥＤ７ａを点灯させ、表示ランプ７の表示を赤の点灯とする。このときの子局２の状態を図４（ａ）に示す。図４において（ａ）は初期状態を、（ｂ）は最終状態（受取作業の完了直前状態）を示す子局２の状態遷移表である。この例では、アドレス＃ａｄ１、＃ａｄ２、＃ａｄ４、＃ａｄ６に対し点灯指示が出されており、各子局２の共有データ記憶手段４６では、これら、＃ａｄ１、＃ａｄ２、＃ａｄ４、および＃ａｄ６を１つのグループとして判断する。また、共有データ記憶手段４６は、自局のレバースイッチ８が操作された場合は、子局入出力手段４３に対する出力ＯＵＴｄを“１”とする。子局入出力手段４３は、このＯＵＴｄが”１”である場合、ＬＥＤ７ｂを点灯させ表示ランプ７の表示を緑の点灯とするが、初期状態では未だ”０”であるため赤の点灯を保持する。なお、図４において、ＬＥＤｒが、表示ランプ７の状態を示すものとなっている。
【００３４】
点灯指示のなされた各子局２に対応する棚のピッキング（受け取り）が済み、作業者がレバースイッチ８の操作を行なうと、子局２の入力データ部４４に信号が入力される。信号が入力された情報は、入力データ部４４から子局入出力手段４３に引き渡され、子局入出力手段４３は、既述の通り、共通データ信号線ＤＰ、ＤＮに入力情報信号を出力する。また、子局入出力手段４３は、信号が入力された情報として、信号ＩＮｄを共有データ記憶手段４６に引き渡す。共有データ記憶手段４６では、信号ＩＮｄが”１”となったとき、自局については入力情報が得られたものと判断し、子局入出力手段４３に対する信号ＯＵＴｄを”１”とする。そして、子局入出力手段４３は、信号ＯＵＴｄが”１”となった時点から、表示ランプ７を緑点灯とする。すなわち、すでにピッキング済みの「履歴」状態とする。
【００３５】
なお、入力データ部４４に信号が入力されるのは、レバースイッチ８が操作されたときのみであり、レバースイッチ８が通常の状態に復帰するとその時点で入力データ部４４への信号入力は無くなる。そのため、この信号入力に対応する信号ＩＮｄは、図４（ｂ）に示すように、レバースイッチ８の通常状態である”０”から操作された状態である”１”を経て、再び通常状態である”０”に戻ることになる。ただし、共有データ記憶手段４６では、一度、自局について入力情報が得られたものと判断した場合、グループの処理完了の判断がされるまでは、信号ＩＮｄが”０”に戻った後も、その状態を、すなわち、信号ＯＵＴｄとして”１”を出力する状態を保持する。
【００３６】
他の子局２に関するデータも含む伝送クロック信号の伝送は、親局６と各子局２との間で、システムの作動中に繰り返し行われ、共有データ記憶手段４６は、新たな伝送クロック信号が伝送される都度、記憶データの更新を行なう。そして、点灯指示のなされている子局２の最後の入力情報が得られたとき、グループの処理完了の判断を行なう。図４（ｂ）に示す例では、受け取り作業が最後に行なわれることとなった＃ａｄ４の子局２のレバースイッチ８が操作されると、グループを構成する複数の子局２の全てからの入力情報が得られることとなり、その情報を反映した伝送クロック信号のデータを取り込んだとき、各子局２の共有データ記憶手段４６では、グループの処理完了の判断を行なう。そして、＃ａｄ４の子局２の表示ランプ７の表示が緑の点灯とされてから所定時間が経過した後、各子局２の共有データ記憶手段４６は、信号ＯＵＴｄをリセットして、ＬＥＤ７ｂを消灯させ表示ランプ７を消灯させる。また、それと同時に最後の受け取り操作が行なわれた＃ａｄ４の子局２は、グループの処理が完了したことをグループ完了信号ＥＮＤにて親局６に伝える。
【００３７】
親局６は、子局２からのグループ完了信号ＥＮＤを受けて、グループ処理完了信号を入力データ１５に含めて制御部１に引き渡す。グループ処理完了信号を受けた制御部１は、次の作業指示であるグループに対する子局２に対して点灯指示を出し、以降、上記の動作が繰り返し行なわれる。
【００３８】
次に、図５〜７を参照しながら、本発明に係る物品受取管理システムの他の実施例を説明する。なお、上記図１〜４に示す物品受取管理システム（以下、第一実施例という）と本質的に同一の部分には同符号を付し、その説明を簡略化または省略するものとする。
【００３９】
この物品受取管理システムは、上記第一実施例と同様に、セル生産方式の製造現場において、保管棚に保管されている部品の中から、製品の組立てに使用する部品を作業者に指示するためのものである。その基本構成も、第一実施例とほぼ同様であり、制御部１および共通データ信号線ＤＰａ、ＤＮａに接続された親局６と、共通データ信号線ＤＰｂ、ＤＮｂに接続された複数の子局２０を備える。子局２０は、それぞれ、保管棚のパイプラック１０に固定され、作業者への指示を行うための表示ランプ７と、作業の確認を行うためのレバースイッチ８を備えている。
【００４０】
一方、この実施例では、親局６と複数の子局２０との間に、変換ユニット９が介装されている構成において第一実施例と異なるものとなっている。なお、第一実施例における共通データ信号線ＤＰ、ＤＮは、この実施例においては変換ユニット９を境にして親局６側の共通データ信号線ＤＰａ、ＤＮａと、子局２０側の共通データ信号線ＤＰｂ、ＤＮｂとに分割されているが、実質的には同じ機能を果たすものとなっている。
【００４１】
変換ユニット９は、第一実施例における子局２の共有データ記憶手段４６に相当する、一時データ記憶手段５６を備える。そして、子局２０の全履歴を把握し、子局２０に対し、制御部１からの出力指示に応じた表示と区別可能な表示をさせる指示をし、グループの処理完了を判断する。
【００４２】
一時データ記憶手段５６に記憶されるデータは、共通データ信号線ＤＰａ、ＤＮａの伝送クロック信号に含まれるものであり、制御データ信号抽出部３６を経て、アドレス抽出手段４２から引き渡される。また、マスタ入出力手段５１からも、後述の親局入力部６５から引き渡された子局２０の入力情報に応じたデータＩＮｄが引き渡される。そして、一時データ記憶手段５６では、これらのデータに基づいて、グループの処理完了の判断をし、マスタ入出力手段５１に対し必要に応じた出力を行なう。
【００４３】
アドレス抽出手段４２からのデータは、また、スレーブ入出力手段５３にも引き渡される。ただし、変換ユニット９に自局アドレスは存在せず、アドレス抽出手段４２に特定のアドレスを引き渡すアドレス設定手段４１を有していないため、スレーブ入出力手段５３には、全アドレスデータが引き渡されることになる。スレーブ入出力手段５３は、第一実施例における子局２の子局入出力手段４３に相当し、全アドレスについて、点灯指示情報をマスタ入出力手段５１に引き渡すとともに、後述の親局入力部６５から引き渡されたデータに応じた入力情報信号を共通データ信号線ＤＰａ、ＤＮａに出力する。
【００４４】
マスタ入出力手段５１は、一時データ記憶手段５６からのデータＯＵＴｄと、スレーブ入出力手段５３からのデータＯＵＴａに基づいて、制御データを後述の親局出力部６４に引き渡す。ここで、制御データは、点灯指示、点滅指示または消灯指示を示すものとなる。
【００４５】
変換ユニット９は、また、複数の子局２０が接続された共通データ信号線ＤＰｂ、ＤＮｂへ伝送クロック信号を送出し、その伝送クロック信号に重畳された子局２０の入力情報データを抽出するための機能を備える。これらの機能は、親局６と同じ構成により、すなわち、タイミング発生部６３、親局出力部６４、親局入力部６５を備えることで果たされるものとなっている。
【００４６】
第一実施例における子局２の共有データ記憶手段４６に相当する一時データ記憶手段５６は、上記の通り、変換ユニット９が備えている。そのため、この実施例における子局２０は、図７に示すように、共有データの記憶手段を備えていない。しかしながら、その他の構成は第一実施例における子局２と同様であり、制御データ信号抽出部３６、アドレス設定スイッチ３９、アドレス設定手段４１、アドレス抽出手段４２、子局入出力手段４３、入力データ部４４、出力データ部４５、トランジスタ４７を備えている。なお、この実施例における子局２０の表示ランプ７は一つのＬＥＤ７ｂのみを備え、単色による表示がなされるものとなっている。
【００４７】
次に、システム動作について説明する。この実施例でも第一実施例と同様、まず、同時にピックアップするグループに属する部品が保管されている棚に対応する子局２０の複数に、制御部１から、受け取りの指示として点灯指示が出される。
【００４８】
点灯指示は、制御データ１３として出力ユニット１１から親局６へ引き渡され、親局６から、伝送クロック信号として共通データ信号線ＤＰａ、ＤＮａに送出される。変換ユニット９は、スタート信号から開始される全アドレスのデータを１伝送サイクルごとに一時データ記憶手段５６に記憶する。一時データ記憶手段５６では、記憶したデータに基づき、子局２０の表示ランプ７を点滅させる必要があるものと判断した場合、マスタ入出力手段５１に対する出力ＯＵＴｄを”１”とするが、初期状態では、１つのグループとされる子局２０の表示ランプ７を点滅させる必要はないため、ＯＵＴｄは”０”となる。そこで、マスタ入出力手段５１は、制御部１から点灯指示のあった子局２０について点灯指示を示すデータを親局出力部６４に引渡す。そして、親局出力部６４を介し、共通データ信号線ＤＰｂ、ＤＮｂに、点灯指示を示す伝送クロック信号が送出される。
【００４９】
各子局２０は、共通データ信号線ＤＰｂ、ＤＮｂの伝送クロック信号において自局のアドレスに対応する制御データが点灯指示となっている場合、ＬＥＤ７ｂを点灯させ、表示ランプ７の表示を緑の点灯とする。このときの子局２の状態を図８（ａ）に示す。図８において（ａ）は初期状態を、（ｂ）は最終状態（受取作業の完了直前状態）を示す子局２０の状態遷移表である。この例も第一実施例の場合と同様、アドレス＃ａｄ１、＃ａｄ２、＃ａｄ４、＃ａｄ６に対し点灯指示が出されており、変換ユニット９の一時データ記憶手段５６では、これら、＃ａｄ１、＃ａｄ２、＃ａｄ４、および＃ａｄ６を１つのグループとして判断する。
【００５０】
点灯指示のなされた各子局２０に対応する棚のピッキング（受け取り）が済み、作業者がレバースイッチ８の操作を行なうと、子局２０の入力データ部４４に信号が入力される。信号が入力された情報は、入力データ部４４から子局入出力手段４３に引き渡され、子局入出力手段４３は、共通データ信号線ＤＰｂ、ＤＮｂに入力情報信号を出力する。
【００５１】
変換ユニット９の親局入力部６５は、共通データ信号線ＤＰｂ、ＤＮｂから入力情報データを抽出し、スレーブ入出力手段５３およびマスタ入出力手段５１に引き渡す。マスタ入出力手段５１は、信号が入力された情報として、信号ＩＮｄを一時データ記憶手段５６に引き渡す。一時データ記憶手段５６では、信号ＩＮｄが”１”となったとき、その入力に対応するアドレスの子局２０については入力情報が得られたものと判断し、そのアドレスの子局２０に対し点滅指示を示す信号ＯＵＴｄを”１”とする。マスタ入出力手段５１では、信号ＯＵＴｄが”１”となった時点から、そのアドレスに対応する指示を点滅指示として親局出力部６４に引き渡す。そのため、共通データ信号線ＤＰｂ、ＤＮｂの伝送クロック信号は点滅指示を含むものとなり、このデータを自局のアドレスに対応するものと判断した子局２０は表示ランプ７を緑点滅とする。すなわち、すでにピッキング済みの「履歴」状態とする。
【００５２】
なお、子局２０からの入力情報は、変換ユニット９のスレーブ入出力手段５３を介して共通データ信号線ＤＰａ、ＤＮａの伝送クロック信号に重畳されるため、親局６においても抽出され、制御部１に引き渡されることとなる。
【００５３】
マスタ入出力手段５１は、入力情報を受ける都度、その情報を一時データ記憶手段５６に引き渡し、一時データ記憶手段５６では、入力情報が引き渡される都度、記憶データの更新を行なう。そして、点灯指示のなされている子局２０の最後の入力情報が得られたとき、グループの処理完了の判断を行なう。図８（ｂ）に示す例では、受け取り作業が最後に行なわれることとなった＃ａｄ４の子局２０のレバースイッチ８が操作されると、グループを構成する複数の子局２０の全てからの入力情報が得られることとなり、その情報がマスタ入出力手段５１から引き渡されたとき、グループの処理完了の判断を行なう。そして、＃ａｄ４の子局２０の表示ランプ７の表示が緑の点滅とされてから所定時間が経過した後、一時データ記憶手段５６は、信号ＯＵＴｄをリセットする。これを受けたマスタ入出力手段５１では、各子局２０について消灯を示すデータを親局出力部６４に引き渡すとともに、グループの処理が完了したことを示すグループ完了信号ＥＮＤをスレーブ入出力手段５３に引き渡す。親局出力部６４は、マスタ入出力手段５１からのデータに基づいた伝送クロック信号を共通データ信号線ＤＰｂ、ＤＮｂに送出し、これを受けた各子局２０では、ＬＥＤ７ｂを消灯させ表示ランプ７を消灯させる。また、スレーブ入出力手段５３は、グループ完了信号を共通データ信号線ＤＰａ、ＤＮａの伝送クロック信号に重畳し、グループ処理が完了した情報を親局６に送出する。
【００５４】
親局６は、変換ユニット９からの情報を受けて、グループ処理完了信号を入力データ１５に含めて制御部１に引き渡す。グループ処理完了信号を受けた制御部１は、次の作業指示であるグループに対する子局２０に対して点灯指示を出し、以降、上記の動作が繰り返し行なわれる。
【００５５】
なお、この実施例では、子局２０において出力指示に応じた表示と区別可能な表示として点滅を採用しているが、この手法は第一実施例においても同様に採用できる。すなわち、第一実施例における子局２の表示ランプ７をＬＥＤ７ａ、またはＬＥＤ７ｂのみの単色表示とし、それを点滅させることで、出力指示に応じた表示、すなわち点灯と区別することしてもよい。
【００５６】
また、上記何れの実施例でも、受取指示器となる子局は、親局が接続されている共通データ信号線に接続されているが、全ての受取指示器を制御部に直接接続したシステム構成としてもよい。
【符号の説明】
【００５７】
１    制御部
２、２０  子局（受取指示器）  
６    親局
７    表示ランプ
７ａ、７ｂ  ＬＥＤ
８    レバースイッチ
９    変換ユニット
１１  出力ユニット
１２  入力ユニット
１３  制御データ
１５  入力情報データ
３６  制御データ信号抽出部
３９  アドレス設定スイッチ
４０  ＭＣＵ
４１  アドレス設定手段
４２  アドレス抽出手段
４３  子局入出力手段
４４  入力データ部
４５  出力データ部
４６  共有データ記憶手段
４７  トランジスタ
５１  マスタ入出力手段
５３  スレーブ入出力手段
６１  出力データ部
６３  タイミング発生部
６４  親局出力部
６５  親局入力部
６６  入力データ部
６７  伝送ブリーダ電流回路
７１  発振器
７２  タイミング発生手段
７３  制御データ発生手段
７４  ラインドライバ
７５  ＤＣ電源
７６  監視信号検出手段
７７  監視データ抽出手段
【図１】
2011125255.tif 000003
【図２】
2011125255.tif 000004
【図３】
2011125255.tif 000005
【図４】
2011125255.tif 000006
【図５】
2011125255.tif 000007
【図６】
2011125255.tif 000008
【図７】
2011125255.tif 000009
【図８】
2011125255.tif 000010
【手続補正書】
【提出日】平成24年6月22日(2012.6.22)
【手続補正１】
【補正対象書類名】特許請求の範囲
【補正対象項目名】全文
【補正方法】変更
【補正の内容】
【特許請求の範囲】
【請求項１】
制御部と、前記制御部と共通のデータ信号線に接続された親局と、前記制御部の出力指示に応じて動作する表示手段および前記制御部へ入力情報を伝える入力手段を有し前記共通のデータ信号線に接続された複数の子局を備え、
前記出力指示の任意の複数を一つのグループとして、前記出力指示のなされた前記複数の子局からの前記入力情報を記憶する記憶手段が前記子局の各々に搭載され、
前記子局は自局を含めた前記子局の全履歴を把握し、自局の判断で前記グループを構成する前記複数の子局の全てからの前記入力情報が得られるまで、前記入力情報が得られた前記子局の前記表示手段における表示を、前記出力指示に応じた表示と区別可能な表示とし、前記グループを構成する前記複数の子局の全てからの前記入力情報が得られたときに、前記グループの処理完了を判断することを特徴とする物品受取管理システム。
【請求項２】
前記複数の子局は、前記制御部からの前記出力指示に対応する制御データの値に応じ、所定の周期の伝送クロックに同期した所定のタイミング信号の制御下で、制御データ信号として一連のパルス状信号が、前記データ信号線に出力され、前記複数の子局の各々は、前記タイミング信号の制御下で、前記伝送クロックの１周期毎に、前記制御データ信号の各データの値を抽出して、前記各データの値の中の自局にデータに対応する表示をし、前記伝送クロックの１周期毎に、対応する前記入力手段の前記入力情報に応じて、監視データ信号を前記一連のパルス状信号に重畳する請求項１に記載の物品受取管理システム。
【国際調査報告】
2011125255.tif 000011
2011125255.tif 000012
2011125255.tif 000013
2011125255.tif 000014